(57)【要約】動力式空気清浄システム（３１）および空気清浄方法が開示されている。当該システムは、空気流入口（４）から当該システムを貫いて清浄空気排出口（５）まで延びる流路（２２）を備えている。前記流路に沿って設けられたモータ駆動式ファン（２４）が、微粒子の塵が充満した空気を引き、軸（Ａ−Ａ）のまわりで回転させて、回転流の最外軌道にもっとも重い粒子となるように塵が充満した空気に層を形成する回転流を形成する。排出ポート（３３）が、当該システムにより層が形成された回転流から微粒子の塵が充満した空気を周囲に排出するために設けられている。回転流内に設けられ、かつ出口上流の流路を横切る空気フィルタが、層が形成された回転流の最内軌道から空気を濾過する。モータ駆動式のファンが動作して、周期的な空気流の要求の際にも当該システムにおいて正圧を維持し、その結果、回転流が連続的に空気フィルタの外表面を掃除して当該フィルタ上の塵の形成を最小にする。
2006513855.tif 000002
【特許請求の範囲】
【請求項１】
流入口から排出口にまで、システム全体にかけて延びた流路と、
微粒子の塵が充満した空気を流入口内に引き込み、これを軸のまわりで回転させて、最も重い粒子が回転流の最外軌道に位置するように塵が充満した空気を層状化する回転流を形成するために、前記流路に沿って配置されたモータ駆動式ファンと、
システム内の前記層状の回転流から微粒子の塵が充満した空気を排出するための排出ポートと、
前記回転流内に、排出口の上流に位置する前記流路にかけて配置された、層状回転流の最内軌道からの空気を濾過するための空気フィルタとを備え、
前記排出ポートが、回転流の最外軌道の放射状外方に配置されている動力式空気清浄システム。
【請求項２】
前記フィルタが、塵が充満した空気の回転軸の方向に細長形状に延びている請求項１記載の空気清浄システム。
【請求項３】
前記排出ポートが、前記細長形状のフィルタの長手方向に延びている請求項２記載の空気清浄システム。
【請求項４】
前記細長形状のフィルタの外周面が円筒形である請求項２記載の空気清浄システム。
【請求項５】
空気中の粒子に作用する気流速度と遠心力を増加するために、塵が充満した空気の回転流の容量を圧縮するための圧縮部をさらに備える請求項１記載の空気清浄システム。
【請求項６】
前記圧縮部がモータ駆動式ファンを支持する請求項５記載の空気清浄システム。
【請求項７】
前記圧縮部が流路内に複数の固定羽根を含む請求項５記載の空気清浄システム。
【請求項８】
前記圧縮部の下流にあたる流路内に分離機／排出器室をさらに備え、前記回転流の最外軌道が前記分離／排出室の外壁上に乗っており、前記排出ポートが分離機／排出器室の外壁に配置されている請求項５記載の空気清浄システム。
【請求項９】
前記フィルタが前記分離／排出室内の中心に配置されている請求項８記載の空気清浄システム。
【請求項１０】
略円筒形のハウジングをさらに備え、前記流入口と前記排出口が、前記ハウジングと、ハウジングを通って延びた前記流路との各々の端部に配置されている請求項１記載の空気清浄システム。
【請求項１１】
前記排出ポートが、空気フィルタの放射状外方に位置するハウジングの略円筒形の外壁に配置されている請求項１０記載の空気清浄システム。
【請求項１２】
前記フィルタが、略円筒形のハウジングの中心縦軸に沿って、該ハウジングの排出端部から延びており、また、排出ポートが空気フィルタの全長にかけて延びた排出スロットの形状である請求項１１記載の空気清浄システム。
【請求項１３】
ハウジングの排出端部から離れた場所にある前記フィルタの端部を前記ハウジング内に支持するブラケットをさらに備える請求項１２記載の空気清浄システム。
【請求項１４】
塵をフィルタから離れた回転流の最外軌道へと運ぶべく空気フィルタと接続したストレイクをさらに備える請求項１記載の空気清浄システム。
【請求項１５】
可変空流要求を有する装置と共に使用する動力式清浄システムであって、
前記装置に空気を供給するべく、前記システムの流入口から排出口にまで延びた流路と、
微粒子塵が充満した空気を流入口内に引き込み、これを軸周囲で回転させて、最も重い粒子が回転流の最外軌道に位置するように塵が充満した空気を層状化する回転流を形成するために、前記流路に沿って配置されたモータ駆動式ファンと、
前記回転流内の、排出口の上流にあたる流路にかけて配置された、層状回転流の最内軌道からの空気を濾過するための空気フィルタと、
塵を、フィルタから離れた回転流の最外軌道へと運ぶために、前記空気フィルタと接続したストレイクとを備え、
前記モータ駆動式ファンが、システム内の層状回転流からの塵が充満した空気を、前記装置が要求する空流速度で排出するべく正の空気流圧力を維持するよう動作可能である動力式空気清浄システム。
【請求項１６】
可変空気流要求を有する前記装置が、エンジンの空気取り込み口の方法によって、システムの排出口に可変真空を発する内燃エンジンである請求項１５記載の空気清浄システム。
【請求項１７】
微粒子塵が充満した空気を、モータ駆動式ファンを内蔵した空気清浄システム内に引き込み、
最も重い粒子を回転流の最外軌道に位置するよう流れを層状化するべく、前記システム内に塵が充満した空気の回転流を形成し、
回転流の最内軌道の空気を、途中に位置したフィルタを通してシステムの排出口へと流し、前記フィルタが回転流内に配置されているためフィルタの自己洗浄動作が得られ、
前記フィルタに接続したストレイクによって、塵をフィルタから離れた回転流の最外軌道へと運び、
微粒子塵が充満した空気を層状回転流からシステムへと排出する空気清浄方法。
【請求項１８】
前記排出が、システム内の層状回転流を妨害することなく実施される請求項１７記載の方法。
【請求項１９】
前記排出が、層状回転流を、フィルタとは反対側の、回転流の最外軌道の放射状外方に配置された排出ポートを通して流す請求項１７記載の方法。
【請求項２０】
前記空気清浄システムの排出口に可変真空を付加する可変空気流要求を設けた装置に空気を供給するために使用され、前記方法がさらに、微粒子塵が充満した空気をシステム内の回転流から、装置が要求する空流速度にて排出するために正の空流圧力を維持するべく、また、少なくとも低速の空流要求の最中に除去できるよう、塵をフィルタ上に堆積させるべく、モータ駆動式ファンを動作する請求項１７記載の方法。
【請求項２１】
前記装置が、システムの排出口から空気を供給される内燃エンジンである請求項２０記載の方法。
【請求項２２】
微粒子塵が充満した空気を、内蔵されたモータ駆動式ファンによって空気清浄システム内に引き入れ、
流れを、最も重い粒子が回転流の最外軌道内に位置する形で層状化するために、正の空気流圧力にて前記システム内に塵が充満した空気の回転流を形成し、
微粒子塵が充満した空気を、システム内の、前記層状化され、正圧力を加圧された回転流の最外軌道から、前記回転流の最外軌道の放射状外方に配置する排出ポートを介して排出し、
前記システム内の回転流の最内軌道から、前記システムの排出口を介して、前記排出口に真空を付加することによって空気を引き出す空気清浄方法。
【請求項２３】
前記システム内の層状回転流の最外軌道から微粒子塵が充満した空気を、前記システムの排出口を介して空気を引き出す速度にて排出するべく正の空気流圧力を維持するための、前記モータ駆動式ファンの動作を含む請求項２２記載の方法。
【請求項２４】
前記排出ポートが、回転流を収容しているハウジングに設けた溝の形状をしており、前記溝が、前記回転流の回転方向を横断する方向に延びている請求項２２記載の方法。
【発明の詳細な説明】
【技術分野】
【０００１】
本発明は、塵が充満した空気から塵を効率的に除去し、本システムを使用している装置に清潔な空気を供給するための、改善された、動力式の大気放出タイプの空気清浄システムおよび空気清浄方法に関する。たとえば本発明は、換気システムのような総体的な空流用途と共に、熱交換器、加熱および空気調整システム用の固定された空流供給装置として使用され、さらに、可変空流需要量を有する装置、特に、清潔な空気が供給される空気取り込み口に可変真空を付加する内燃エンジンと共に使用される。
【背景技術】
【０００２】
塵が充満した空気を引き入れる内燃エンジン、換気システム、およびその他の装置内部に用いる、空気から空気よりも重い粒子を遠心分離するための空気取り入れ口が知られている。空気を清浄する、空気搬送システム内における直列フィルタの使用自体も知られている。しかしながら、空気フィルタは、フィルタを通過する空気に含有される塵によって目詰まりし易く、これにより、結果的にフィルタを通過する空気量が規制され、また、関連する装置、たとえば、フィルタを介して空気が供給される電気制御された内燃エンジンの動作性能が低下してしまう。フィルタを頻繁に交換し、点検間隔をより短くする必要もあるため、動作コストが増加してしまう。塵が充満した空気から塵を効率的に除去しながら前述の問題を低減または解決する形で遠心分離と空気濾過を組み合わせた、改善された空気清浄システムと空気清浄方法が必要である。
【発明の開示】
【０００３】
本発明による動力式空気清浄システムは、流入口から排出口にまで、システム全体にかけて延びた流路を備えている。この流路に沿ってモータ駆動式ファンが配置されており、このモータ駆動式ファンは、微粒子塵が充満した空気を流入口内に引き込み、これを軸周囲で回転させて、最も重い粒子が回転流の最外軌道に位置するように塵が充満した空気で回転流を形成する。システム内の層状の回転流から微粒子塵が充満した空気を排出するために排出ポートを設けている。排出口の上流の流路にかけて配置された層状回転流の最内軌道からの空気を濾過するために、回転流内に空気フィルタが設けられている。本発明の開示された実施例によれば、フィルタは、塵が充満した空気が周囲で回転する軸方向に細長く延びている。フィルタ上への塵の堆積を最小化するために、回転流内のフィルタの外周面が層状回転流の最内軌道によって掃拭される。
【０００４】
本発明の空気清浄方法は、微粒子塵が充満した空気を、モータ駆動式ファンを内蔵した空気清浄システム内に引き込み、最も重い粒子が回転流の最外軌道に位置するよう流れを層状化するために、塵が充満した空気の回転流を上記システム内に形成し、回転流の最内軌道の空気を、途中に位置するフィルタを通してシステムの排出口へと流し、さらに、微粒子塵が充満した空気をシステム内の層状回転流から周囲環境へ戻す。実施例によれば、可変空流要求を有する装置に空気が供給され、これにより空気清浄システムの排出口に可変真空が付加され、上記方法はさらに、微粒子塵が充満した空気をシステムから周囲環境へ、装置が要求する空流速度で戻すために、システム内に正の空流圧力を維持するべく、モータ駆動式ファンを動作する。回転流内に配置されたシステムのフィルタ上に作用するこの正の空気流圧力により、フィルタ上に堆積する塵が最小限に保たれる。これにより、このシステムはその空気フィルタを自己清浄する。
【０００５】
ある実施例では、システムの排出ポートは、空気フィルタの長さを延長する排出溝の形状をしており、回転流の最外軌道の放射状外方に配置されている。この配置により、空気フィルタが若干の正圧に晒され、空気清浄システムが設置されたエンジンまたは装置への規制が低減し、空気フィルタの自己清浄が補助される。
【０００６】
本発明のこれらおよびこれ以外の特徴と利点は、以降の記述を、本発明による２つの実施例を例証のみの目的で示す添付の図面と共に考慮することでより明白になる。
【発明を実施するための最良の形態】
【０００７】
次に図面を参照すると、第１の実施例による、図１〜６の動力式空気清浄システムまたは装置１が、清潔な空気の供給を必要とする内燃エンジンまたはその他の装置のような装置２８の空気取り込み口２９に、図２に略図的に示すように接続した状態で示されている。このシステムは、空気流入口４から清浄空気排出口５までシステムを通って延びた、装置２８の空気取り込み口２９に清潔な空気を供給するための流路２２を備えている。ハウジング２３は、２つの取り外し可能な構成部品、つまりモータ駆動式ファン用ハウジング２、フィルタハウジング３によって形成されており、これらの構成部品は、点検フランジ組み立て品６にて、結合クリップ７によって取り外し可能に相互に接続している。この目的のために、ハウジング２、３の各々は結合フランジ１６、１７をそれぞれ設けている。図６はハウジング２、３を取り外した状態を示し、図８、図９、図１２、図１３は各々を別々に示している。
【０００８】
モータ駆動式ファン２４は、電気モータ１３の出力シャフトに取り付けたファン羽根１０を備えており、また、微粒子塵が充満した空気を流入口４内に引き込み、これを軸Ａ‐Ａの周囲で回転させて、システム内で、塵が充満した空気が、最も重い粒子が回転流の軌道最外部にくる形で層状回転流を形成するべく、流路２２に沿って配置されている。圧縮部１１は、ルーバまたは羽根１２が固定され、角度付けされたルーバ／モータ取り付け組み立て品の形状をしており、ファン羽根１０の下流に位置するファンハウジング２内に配置されている。圧縮部は、システム流入口内に引き込まれた塵が充満した空気の回転流の総量を圧縮することで、空中に舞っている物質に作用する気流速度と遠心力を増加させる。図３、図４、図８、図９に示すように、モータ駆動式ファン２４は、そのモータ部分において、ファンハウジング内に角度ルーバ／モータ取り付け組み立て品１１の方法で支持されている。
【０００９】
図３〜６、図９、図１５に示すように、角度付けしたルーバ／モータ取り付け組み立て品の下流の、空気清浄システムの流路内には分離／排出室１８が設けられている。塵が充満した空気の回転流パターンの最外軌道が分離／排出室の外壁２７上に乗って進み、清潔な空気の排出口の放射状外方に位置するハウジングの排出端部内の、排出口５の周囲に形成された環状排出ポート２５に到達する。排出ポートは、輪金で分離された一連の円周放射状排出器溝８によって形成されている。排出ポートは、微粒子塵が充満した空気を、システム内の層状回転流から周囲へと排出する。
【００１０】
図２〜４、図６、図１５に示す空気フィルタ９は、少なくとも、図１０、図１５に示す主要一次空気フィルタ要素２０と、図１１、図１４に示す、フィルタ要素２０内に配置された任意の二次安全空気フィルタ要素２１とから成るフィルタパッケージの形態をしており、回転流内の、排出口の上流に位置する流路にかけて配置されており、空気が清潔な空気の排出口５へ流れて来た際に、システム内の層状回転流の最内軌道からの空気を濾過する。フィルタ９は、図５に示す清潔な空気の排出孔１９に取り付けられているその排出端部から、分離／排出室内の略円筒形のハウジング２３の中心縦軸Ａ−Ａの方向に向かい、これに沿って細長く延びている。フィルタ９の上流端部は、図９の支持フランジ３０に接続したフィルタ圧縮ブラケット１４によって、モータ１３の端部上に支持されている。
【００１１】
分離／排出室１８内部の塵が充満した空気の回転流内にフィルタを配置することで、また、室１８内の微粒子塵が充満した空気を層状の回転流から、たとえば室内の層状回転流を中断することなく、室１８端部にある排出ポート２５を介して制限無しで戻すことで、フィルタ９外面上への塵の堆積が最小化される。フィルタの外面上に正の空流圧力を維持するべく、また、塵が充満した空気を、装置が要求する空流速度でシステムから周囲環境に戻すべくモータ駆動式ファンを動作させることで、たとえばシステムの排出口５に可変真空を付加する内燃エンジンのような巡回する空気流を必要とする装置２８の空気取り込み口２９に空気を供給する上で、フィルタ９上の自己清浄動作も拡張されたことがわかっている。空気清浄システム１は、設置先であるエンジンまたは装置２８が要するよりも遥かに大きな空流を生成するように設計されているため、空気フィルタ上への塵の堆積を最小にするべくフィルタに均一な正の空流圧力を付加でき、また、分離／排出室の端部に配置された一連の放射状排出器溝８により形成された３６０°排出ポート２５から強力な空流を供給することができる。
【００１２】
本発明の空気清浄システムおよび清浄方法を用いれば、空気フィルタの寿命が現在の点検間隔よりも著しく延びるので、内燃エンジンおよび他の装置の通常の点検間隔を通じて空気フィルタ制限を低く維持することが可能になる。空気清浄システムおよび空気清浄方法を、内燃エンジンへ清潔な空気を供給することを目的とした用途に特化して説明してきたが、しかし、本発明はこのような用途に限定されるものではなく、清潔な空気の供給を要する様々な装置、たとえば換気システム、熱交換器、空気圧縮機、暖房および空気調整システムに幅広く使用することができる。
【００１３】
図１６に示す本発明による動力式空気清浄システムまたは装置３１の第２の実施例は、図１６中のフィルタハウジング３２のみを除いて、第１の実施例のシステムまたは装置１と類似している。つまり、第１の実施例の場合と同様に、清潔な空気排出部の放射状外方に位置するフィルタハウジングの排出端部に排出ポートを提供する代わりに、フィルタハウジング３２内の、空気フィルタと対向する回転流の最外軌道の放射状外方に、排出ポート３３を配置している。特に、排出ポート３３は、フィルタハウジングの分離／排出室の外壁に設けられた、空気フィルタの全長にかけて延びた溝の形状をしている。ハウジング３２の排出端部は、たとえば硬質パネルを備え、清潔な空気排出口５の周囲で閉鎖している。
【００１４】
そのため、第１の実施例の、フィルタハウジング３２を備えたシステムまたは装置３１の場合のように、システムまたは装置の後部から排出されるまで、塵を層状にてハウジングの全長にわたって滞留できるようにする代わりに、塵は、分離パターンの外軌道と衝突すると、回転流から、また、排出器溝３３を介してシステムまたは装置から即座に排出される。この特徴により、塵がシステムまたは装置から容易に遠ざけられ、また、システムまたは装置が設置されている内燃エンジンのような装置から離れた場所へ容易に搬送されるようになる。
【００１５】
図１７に示す本発明の別の特徴は、各実施例と共に使用できる。この場合、空気フィルタ９の外周上にストレイク(strake)３４を設ける。このストレイク３４は、空気フィルタ付近の回転流内の塵をフィルタから回転流の最外軌道へと搬送し、システムから排出するために、空気フィルタの全長にかけて縦方向に延び、フィルタの外周から、図１７中の矢印Ｂで示す回転流の方向へと外方に向かって延びている。
【００１６】
本発明による２つの実施例のみを示し説明したが、本発明はこれらの実施例に限定されるものではなく、当業者が知るところの多数の変更および改造を受け入れる余裕があると理解される。たとえば、本発明の動力式空気清浄システムは、装置に空気を供給するために、空気フィルタ９を用いずに使用することができ、この場合、塵が充満した空気からの塵の遠心分離、およびシステム排出口における装置からの真空による、システム内回転流の最内軌道からの空気の引き出しにより十分な清浄が得られる。これに関連し、装置内の正圧によって、システムの排出ポートを通る流れが維持される一方で、清潔な空気の排出口における圧力は、空気フィルタの使用の有無に拘わらず本質的に中性に保たれる。本装置は、システムの清潔な空気の排出口に付加された真空引きのようなその要求にしたがって、清潔な空気の排出口から清潔な空気を引き出す。したがって、当方は、本発明がここで示し説明した詳細に限定されるのではなく、しかしに添付の請求項の範囲によって包括されるこうした全ての変更および改造を網羅することを希望する。
【図面の簡単な説明】
【００１７】
【図１】本発明の第１の実施例による動力式空気清浄システム／装置を、前部つまり流入端部側から、一側面に向かって見た斜視図である。
【図２】可変空気流要求を有する装置の空気取り入れ口に接続した状態で略図的に示す図１の空気清浄システムを、裏面つまり排出端部側から、一側面に向かって見た斜視図である。
【図３】図１に類似のシステムにおいて、ハウジングの一部を切り取り、ハウジング内の構成部品を示した図である。
【図４】図２に類似のシステムにおいて、ハウジングの一部を切り取り、ハウジング内の構成部品を示した図である。
【図５】ハウジングの裏面の排出端部を介して空気清浄排出孔を示すべく、ハウジングの一部分を除去し、システム内のフィルタを取り除いた状態の、図１に類似のシステムの図である。
【図６】図１に類似のシステムの斜視図であるが、相互から分離されている状態の、取り外し可能なモータ駆動式ファンハウジングと、システムハウジングを形成するためのフィルタハウジングとを具備している。
【図７】取り外し可能に結合した、モータ駆動式ファンハウジングと、図５に示すとおりの取り外し可能な結合クリップを具備したフィルタハウジングとの部分の詳細な図である。
【図８】図１のシステムの取り外し可能なモータ駆動式ファンハウジングを、前部、つまり流入端部側から、また一側面に向かって見た斜視図である。
【図９】取り外し可能なモータ駆動式ファンハウジング・システムの、裏面つまり排出端部側から見た斜視図である。
【図１０】図１のシステムに使用されている主要一次空気フィルタ要素の斜視図である。
【図１１】図１のシステムに、主要一次空気フィルタ要素の代わりに任意で使用される２次の安全な空気フィルタ要素の斜視図である。
【図１２】前端部側から見た、フィルタを設置していない状態のフィルタハウジングの斜視図である。
【図１３】裏面、つまり排出端部側から見た、フィルタを設置していない状態のフィルタハウジングの斜視図である。
【図１４】図１２と類似しているが、オプションの安全フィルタを設置した状態のフィルタハウジングの斜視図である。
【図１５】図１３と類似しているが、図示の主要フィルタが内設された状態のフィルタハウジングの斜視図である。
【図１６】フィルタハウジングの空気清浄排出口の周囲に硬質裏パネルと外部円筒形壁を備え、空気フィルタの長さに排出溝を備えている、本発明による空気清浄システム／装置の第２実施例の、裏面、つまり排出端部側から、また一側面に向かって見た斜視図である。
【図１７】開示されたいずれかの実施例の軸Ａ−Ａに対して直角の角度で切った略断面図であり、塵が充満した空気の回転流中に含まれた塵を、フィルタから離れたフィルタハウジングの外壁へと運ぶために、空気フィルタに接続し、フィルタの全長にかけて延びたストレイクの提供を示している。
【図１】
2006513855.tif 000003
【図２】
2006513855.tif 000004
【図３】
2006513855.tif 000005
【図４】
2006513855.tif 000006
【図５】
2006513855.tif 000007
【図６】
2006513855.tif 000008
【図７】
2006513855.tif 000009
【図８】
2006513855.tif 000010
【図９】
2006513855.tif 000011
【図１０】
2006513855.tif 000012
【図１１】
2006513855.tif 000013
【図１２】
2006513855.tif 000014
【図１３】
2006513855.tif 000015
【図１４】
2006513855.tif 000016
【図１５】
2006513855.tif 000017
【図１６】
2006513855.tif 000018
【図１７】
2006513855.tif 000019
【手続補正書】
【提出日】平成16年11月3日(2004.11.3)
【手続補正１】
【補正対象書類名】特許請求の範囲
【補正対象項目名】全文
【補正方法】変更
【補正の内容】
【特許請求の範囲】
【請求項１】
流入口から排出口にまで、システム全体にかけて延びた流路と、
微粒子塵が充満した空気を流入口内に引き込み、これを軸周囲で回転させて、最も重い粒子が回転流の最外軌道に位置するように塵が充満した空気を層状化する回転流を形成するために、前記流路に沿って配置されたモータ駆動式ファンと、
システム内の前記層状の回転流から微粒子の塵が充満した空気を排出するための排出ポートと、
前記回転流内に、排出口の上流に位置する前記流路にかけて配置された、層状回転流の最内軌道からの空気を濾過するための、塵が充満した空気の回転軸の方向に細長形状に延びる空気フィルタとを備え、
前記排出ポートが、回転流の最外軌道の放射状外方に配置されている動力式空気清浄システム。
【請求項２】
前記フィルタが、前記流路内の分離／排出室内の中心に配置されている請求項１記載の空気清浄システム。
【請求項３】
前記排出ポートが、前記細長形状のフィルタの長手方向に延びている請求項１記載の空気清浄システム。
【請求項４】
前記細長形状のフィルタの外周面が円筒形である請求項１記載の空気清浄システム。
【請求項５】
空気中の粒子に作用する気流速度と遠心力を増加するために、塵が充満した空気の回転流の容量を圧縮するための圧縮部をさらに備える請求項１記載の空気清浄システム。
【請求項６】
前記圧縮部がモータ駆動式ファンを支持する請求項５記載の空気清浄システム。
【請求項７】
前記圧縮部が流路内に複数の固定羽根を含む請求項５記載の空気清浄システム。
【請求項８】
前記圧縮部の下流にあたる流路内に分離機／排出器室をさらに備え、前記回転流の最外軌道が前記分離／排出室の外壁上に乗っており、前記排出ポートが分離機／排出器室の外壁に配置されている請求項５記載の空気清浄システム。
【請求項９】
前記フィルタが前記分離／排出室内の中心に配置されている請求項８記載の空気清浄システム。
【請求項１０】
略円筒形のハウジングをさらに備え、前記流入口と前記排出口が、前記ハウジングと、ハウジングを通って延びた前記流路との各々の端部に配置されている請求項１記載の空気清浄システム。
【請求項１１】
前記排出ポートが、空気フィルタの放射状外方に位置するハウジングの略円筒形の外壁に配置されている請求項１０記載の空気清浄システム。
【請求項１２】
前記フィルタが、略円筒形のハウジングの中心縦軸に沿って、該ハウジングの排出端部から延びており、また、排出ポートが空気フィルタの全長にかけて延びた排出スロットの形状である請求項１１記載の空気清浄システム。
【請求項１３】
ハウジングの排出端部から離れた場所にある前記フィルタの端部を前記ハウジング内に支持するブラケットをさらに備える請求項１２記載の空気清浄システム。
【請求項１４】
塵をフィルタから離れた回転流の最外軌道へと運ぶべく空気フィルタと接続した塵金輪をさらに備える請求項１記載の空気清浄システム。
【請求項１５】
可変空流要求を有する装置と共に使用する動力式清浄システムであって、
前記装置に空気を供給するべく、前記システムの流入口から排出口にまで延びた流路と、
微粒子塵が充満した空気を流入口内に引き込み、これを軸周囲で回転させて、最も重い粒子が回転流の最外軌道に位置するように塵が充満した空気を層状化する回転流を形成するために、前記流路に沿って配置されたモータ駆動式ファンと、
前記回転流内の、排出口の上流にあたる流路にかけて配置された、層状回転流の最内軌道からの空気を濾過するための空気フィルタと、
塵を、フィルタから離れた回転流の最外軌道へと運ぶために、前記空気フィルタと接続した塵金輪とを備え、
前記モータ駆動式ファンが、システム内の層状回転流からの塵が充満した空気を、前記装置が要求する空流速度で排出するべく正の空気流圧力を維持するよう動作可能である動力式空気清浄システム。
【請求項１６】
可変空気流要求を有する前記装置が、エンジンの空気取り込み口の方法によって、システムの排出口に可変真空を発する内燃エンジンである請求項１５記載の空気清浄システム。
【請求項１７】
微粒子塵が充満した空気を、モータ駆動式ファンを内蔵した空気清浄システム内に引き込み、
最も重い粒子を回転流の最外軌道に位置するよう流れを層状化するべく、前記システム内に塵が充満した空気の回転流を形成し、
回転流の最内軌道の空気を、途中に位置したフィルタを通してシステムの排出口へと流し、前記フィルタが回転流内に配置されているためフィルタの自己洗浄動作が得られ、
前記フィルタに接続した塵金輪によって、塵をフィルタから離れた回転流の最外軌道へと運び、
微粒子塵が充満した空気を層状回転流からシステムへと排出する空気清浄方法。
【請求項１８】
前記排出が、システム内の層状回転流を妨害することなく実施される請求項１７記載の方法。
【請求項１９】
前記排出が、層状回転流を、フィルタとは反対側の、回転流の最外軌道の放射状外方に配置された排出ポートを通して流す請求項１７記載の方法。
【請求項２０】
前記空気清浄システムの排出口に可変真空を付加する可変空気流要求を設けた装置に空気を供給するために使用され、前記方法がさらに、微粒子塵が充満した空気をシステム内の回転流から、装置が要求する空流速度にて排出するために正の空流圧力を維持するべく、また、少なくとも低速の空流要求の最中に除去できるよう、塵をフィルタ上に堆積させるべく、モータ駆動式ファンを動作する請求項１７記載の方法。
【請求項２１】
前記装置が、システムの排出口から空気を供給される内燃エンジンである請求項２０記載の方法。
【請求項２２】
微粒子塵が充満した空気を、内蔵されたモータ駆動式ファンによって空気清浄システム内に引き入れ、
流れを、最も重い粒子が回転流の最外軌道内に位置する形で層状化するために、正の空気流圧力にて前記システム内に塵が充満した空気の回転流を形成し、
微粒子塵が充満した空気を、システム内の、前記層状化され、正圧力を加圧された回転流の最外軌道から、前記回転流の最外軌道の放射状外方に配置する排出ポートを介して排出し、
前記排出口に真空をつくることにより、当該排出口を介して、前記システム内の回転流の最内軌道から空気を引き出し、これにより前記空気フィルタが前記回転流によって掃拭され、フィルタに自己清浄動作が備わる空気清浄方法。
【請求項２３】
前記システム内の層状回転流の最外軌道から微粒子塵が充満した空気を、前記システムの排出口を介して空気を引き出す速度にて排出するべく正の空気流圧力を維持するための、前記モータ駆動式ファンの動作を含む請求項２２記載の方法。
【請求項２４】
前記排出ポートが、回転流を収容しているハウジングに設けた溝の形状をしており、前記溝が、前記回転流の回転方向を横断する方向に延びている請求項２２記載の方法。
【国際調査報告】
2006513855.tif 000020